(57)【要約】【課題】  Trans  Flashメモリカードの使用に制限を受けることなく、より柔軟性を持たせた、Ｍｉｎｉ  ＳＤメモリカード変換装置の構造を提供する。【解決手段】  上蓋２と下蓋１、接続体４を有する。上蓋２と下蓋１と重ねて接合した後の外観、形、規格ともＭｉｎｉ  ＳＤメモリカードと同じで、接合された上蓋と下蓋の先端に主開口部１１を設け、主開口部１１の内面にTrans  Flashメモリカードを挿入するための空間を設け、下蓋１の先端の内部に位置固定用複数個の接続端子の一部を覆い、下蓋は後部近くに大きい開口部１５を設け、大開口部１５は接続体４の一端に対応する。かつ、各接続端子の先端は接続体４と接続し、接続体４に大開口部１５に対応する回路を設けている。新型マイクロタイプTrans  Flashメモリカードの外観と読み取り/書き込み規格をＭｉｎｉ  ＳＤメモリカードと完全に同様にし、許容性を持たせる。【選択図】    図１
0003110839.tif 000002
【実用新案登録請求の範囲】
【請求項１】
上蓋、下蓋および接続体を有し、上蓋と下蓋とが重ねられ接合されたとき、外観、形、規格ともＭｉｎｉ  ＳＤメモリカードと同様であり、接合された上蓋と下蓋との先端に主開口部が設けられ、主開口部の内面にTrans  Flashメモリカードを挿入するための空間が設けられ、下蓋の先端の内部が位置固定用の複数個の接続端子の一部を覆い、下蓋は後部付近に大きい開口部が設けられ、大開口部は接続体の一端に対応し、各接続端子の先端は接続体と接続され、接続体を大開口部に対応する回路に設けられていることを特徴とするＭｉｎｉ  ＳＤメモリカード変換装置の構造。
【請求項２】
接続体は四方形に類似するＰＣ電気回路板より構成し、接続体上二つの足部に複数の穿孔を設け、接続体上に複数の端子板がそれぞれ設けられ、すべての穿孔と各端子板との間に回路で接続されることを特徴とする請求項１記載のＭｉｎｉ  ＳＤメモリカード変換装置の構造。
【請求項３】
接続体の端子板はＭｉｎｉ  ＳＤメモリカード規格及びピン位置に合わせて設けられていることを特徴とする請求項２記載のＭｉｎｉ  ＳＤメモリカード変換装置の構造。
【請求項４】
下蓋の周面に複数個の引っかけ部が設けられ、上蓋の周面にも複数個の凹み部が設けられて、各引っかけ部と対応した凹み部は互いに引っかけられることを特徴とする請求項１記載のＭｉｎｉ  ＳＤメモリカード変換装置の構造。
【請求項５】
下蓋の左端、右端、後部それぞれにフランジが形成され、各フランジ上に引っかけ部が設置されることを特徴とする請求項４記載のＭｉｎｉ  ＳＤメモリカード変換装置の構造。
【請求項６】
上蓋の主開口部は内面に引っ込み形状であることを特徴とする請求項１記載のＭｉｎｉ  ＳＤメモリカード変換装置の構造。
【請求項７】
下蓋の主開口部は傾斜面を有することを特徴とする請求項１記載のＭｉｎｉ  ＳＤメモリカード変換装置の構造。
【請求項８】
端子板の間に締めベルトとベルトをつないで位置を固定し、下蓋側に複数の穴が設けられ、穴の位置固定により、つなぎ締めベルトとベルトとは簡単に切り離されることを特徴とする請求項１記載のＭｉｎｉ  ＳＤメモリカード変換装置の構造。
【考案の詳細な説明】
【技術分野】
【０００１】
本考案は、Ｍｉｎｉ  ＳＤメモリカード変換装置の構造設計に関し、特に一種のミニTrans  FlashメモリカードをＭｉｎｉ  ＳＤメモリカードの型式、規格に一致する変換装置構造の設計に関する。
【背景技術】
【０００２】
利用者は公知のTrans  Flashメモリカードに保管されたデータを取り出すとき、Trans  Flashメモリカードに対応する読み取りスロットを挿入する必要がある。
【考案の開示】
【考案が解決しようとする課題】
【０００３】
しかしながら、デスクトップコンピュータ、ノートブックパーソナルコンピュータ、パームトップコンピュータ、ＰＤＡ、デジタルカメラ、携帯電話、電子辞書、ＭＰ３プレイヤーなど市販の各種電子裝置に、このTrans  Flashメモリカード仕様に対応した読み取りスロットを取り付けているものが少ないため、Trans  Flashメモリカードの推進や応用分野の拡大に制限を受ける。
【０００４】
したがって本考案の目的は、Ｍｉｎｉ  ＳＤスロットをTrans  Flashメモリカードの切り替え接続ポートに変換し、Trans  Flashメモリカードの使用に制限を受けることなく、より柔軟性を持たせた、Ｍｉｎｉ  ＳＤメモリカード変換装置の構造を提供することにある。
【課題を解決するための手段】
【０００５】
上述の目的を達成するために本考案の請求項に記載のＭｉｎｉ  ＳＤメモリカード変換装置の構造は、新型マイクロタイプTrans  Flashメモリカードの外観と読み取り/書き込み規格をＭｉｎｉ  ＳＤメモリカードと完全に同様にするほか、許容性を持たせる。Trans  Flashメモリカードを変換装置に插入すれば、Ｍｉｎｉ  ＳＤメモリカードの機能を模擬し、Ｍｉｎｉ  ＳＤメモリカードコネクタ又は各種のマルチコネクタに直接応用可能であるため、Trans  Flashメモリカードの応用範囲を向上させるほか、使用の制限を解消可能である。
【０００６】
本考案の請求項に記載のＭｉｎｉ  ＳＤメモリカード変換装置の構造は、上蓋と下蓋、接続体を有する。上蓋と下蓋と重ねて接合した後の外観、形、規格ともＭｉｎｉ  ＳＤメモリカードと同じで、接合された上蓋と下蓋の先端に主開口部を設け、主開口部の内面にTrans  Flashメモリカードを挿入するための空間を設け、下蓋の先端の内部に位置固定用複数個の接続端子の一部を覆い、下蓋は後部近くに大きい開口部を設け、大開口部は接続体の一端に対応する。かつ、各接続端子の先端は接続体と接続し、接続体に大開口部に対応する回路を設けている。
【考案を実施するための最良の形態】
【０００７】
以下、本考案の実施例を図面に基づいて説明する。
図１から図１１に示すように、本実施例は一種のＭｉｎｉ  ＳＤメモリカード変換装置の構造設計に関し、上蓋２（図１、図９）と下蓋１（図１、図３）、複数の接続端子３（図４）より構成した端子セットと接続体４（図８）、蓋１、蓋２を重ねて接合した後の外観、形、規格とＭｉｎｉ  ＳＤメモリカードに同様である。ただし、その内部構造は若干異なる。
【０００８】
下蓋１の内部に複数の接続端子３を納める一体化した端子の組合せ蓋を形成し、Trans  Flashメモリカード５を插入（図１０）するための挿入スペースＡを設けている。接続端子３は８本を設ける。最先端は尖った上部屈折部３１、図４に示すように角形状のため、半分に分けた前部胴体３２と後部胴体３３に分けて、前部胴体３２が短く、後部胴体３３が長い。さらに、後部胴体３３の後半部は屈折状の柔軟性巻き上げ腕を形成する。前部胴体３２の大面積と後部胴体３３の小面積は下蓋１に埋め込み、これを包囲部３４と言う。すなわち、下蓋１が先端内部の一部分を位置固定するための複数の接続端子３の一部を包む。各接続端子３の間に連結締めベルト３５でもって、ベルト３６と接続させる。しかし、接続端子３は図示した角形状に限らず、円弧状も可能である。
【０００９】
図４と図５に示すように、各接続端子３の間に連結締めベルト３５によって接続する。このため、前部胴体３２と後部胴体３３それぞれに連結締めベルト３５を有し、前部胴体３２の末端はベルト３６によって接続される。連結締めベルト３５を設置した目的は接続端子３を下蓋１に埋め込んで一体射出成型加工のとき、各接続端子３を最適な位置固定効果を得るためである。さらに、下蓋１に（前部胴体の連結締めベルトに対応した）複数の小穴１８と大きい穴１９を設ける。小穴１８、大きい穴１９は位置を固定して置き、連結締めベルト３６とベルト３７を同時切り離した後、下蓋１を射出成型した後、各連結締めベルト３６も合わせて切り離して取り除き（図６から図７）、これは精確に接続するため、製造上の特別要求であり、本考案の特殊な設計でもある。先埋めによる射出成型方式こそ、各接続端子３はプラスチック材料の衝撃による位置ずれを防ぎ、射出成型時の不良率を軽減可能である。
【００１０】
下蓋１後部に大開口部１５を設け、大開口部１５は接続体４の一端に対応する。この接続体４は口型に近いＰＣ電子回路板（図８）であり、８個の接続端子は各面に４個を取り付けて、接続体４二つの脚部４４はそれぞれ１列の穿孔４１を設ける。各穿孔４１は接続端子３の上部屈折部３１によってそれぞれに貫通され、電気を導通する。さらに、接続体４二つの脚部４４に回路４２を設け、これを１列の端子板４３の対称場所に導き、図の端子板４３に１１個を設けて、Ｍｉｎｉ  ＳＤメモリカードの規格に対応する。接続端子の数は、Trans  Flashメモリカード規格に対応するためである。
【００１１】
上蓋２、下蓋１の先端面に主開口部２１、主開口部１１を設ける。上蓋２、下蓋１の後部付近に１６、角欠け２６を設け、下蓋１先端の主開口部は傾斜面１１２を有する。上蓋２先端の主開口部２１は内面に引っ込み形状である。
【００１２】
下蓋１の先端にフランジを設けない。代わりに、他の３面に後部フランジ１３を設ける。左フランジ１４、右フランジ１５をそれぞれに設け、上蓋２を嵌入する。上蓋２の左側、右側と後部とも下蓋１に覆われ、フランジ１２、フランジ１３、フランジ１４に複数個の引っかけ部１２１、引っかけ部１３１、引っかけ部１４１を設ける。さらに、下蓋１先端の両側にそれぞれ引っかけ部１１１を設けて、引っかけ部１１１、引っかけ部１２１、引っかけ部１３１、引っかけ部１４１は上蓋２に設けていた凹み部２１１、凹み部２２１、凹み部２３１、凹み部２４１と引っかけて接合する。図の上蓋２と下蓋１は緊密に合わせて置き、超音波溶融加工を施した後、組み立て完了とする。この他、引っかけ接合又は粘着方式とも同じく接合の役目を果たせる。
【００１３】
以上に説明した変換装置の構造において、本考案の実施例では特殊な位置固定の設計により、包み体と端子セットと正確な組み立てが得られる。下蓋内部に特定した位置は包み体と端子セットとの位置固定を容易にするほか、上蓋と下蓋との間との組み立てを容易にできることによって、組み立ての容易性を形成する。Trans  Flashメモリカードを本考案の変換装置に插入した後（図１０から図１１）は、接続端子後部の柔軟性接続アームを介して、信号は接続端子から接続体幅広いのＭｉｎｉ  ＳＤメモリカードの信号読み取り/書き込み対応場所に伝送され、多くの電子裝置と接続及び使用を可能にする。つまり、Trans  FlashメモリカードをＭｉｎｉ  ＳＤメモリカードに模擬可能で、しかし、携帯性がより便利で、利用者は従来の電子装置を取り替える必要がない。よって、本考案は大変に良い変換利用性を提供でき、公知のものと異なる機構を提供可能である。
【００１４】
以上、本考案の理想的な実施例の説明と図面は、本考案の範疇を制限すべきではない。本考案の範疇は以下の出願範囲に基づくものとし、特許範疇の精神及びこれに類似し改変された実施例及び類似した構造は、すべて本考案に含まれるべきである。
【図面の簡単な説明】
【００１５】
【図１】本考案の実施例によるＭｉｎｉ  ＳＤメモリカード変換装置の構造を示す立体分解図である。
【図２】本考案の実施例により上蓋を被せていないときの立体図である。
【図３】本考案の実施例の下蓋に接続端子を含まないときの立体図である。
【図４】本考案の実施例による端子にベルトを取り付けた立体図である。
【図５】本考案の実施例による端子セットを下蓋に含ませたときの立体概略図である。
【図６】本考案の実施例による端子セットと下蓋を組み立てた後に、ベルトを切り離す前の立体図である。
【図７】本考案の実施例による端子セットと下蓋が組合せ完了後の立体図である。
【図８】本考案の実施例による接続体の上視図である。
【図９】本考案の実施例により上蓋を前方向に開けたときの立体図である。
【図１０】本考案の実施例により装置組合せた後、Trans  Flashメモリカード插入前の立体図である。
【図１１】本考案の実施例による装置にTrans  Flashメモリカードを挿入した後の立体図である。
【符号の説明】
【００１６】
１  下蓋、２  上蓋、３  接続端子、４  接続体、５  Trans  Flashメモリカード、１１  主開口部、１２  後フランジ、１３  左フランジ、１４  右フランジ、１５  大開口部、１６  角欠け、１８  小穴、１９  大きい穴、２１  主開口部、２６  角欠け、３１  上部屈折部、３２  前部、３３  後部、３４  包覆部、３５  連結締めベルト、３６  ベルト、４１  穿孔、４２  線路、４３  端子板、４４  脚部、１１１  引っかけ部、１１２  傾斜面、１２１  引っかけ部、１３１  引っかけ部、１４１  引っかけ部、２１１  凹み部、２２１  凹み部、２３１  凹み部、２４１  凹み部、Ａ  挿入スペース
【図１】
0003110839.tif 000003
【図２】
0003110839.tif 000004
【図３】
0003110839.tif 000005
【図４】
0003110839.tif 000006
【図５】
0003110839.tif 000007
【図６】
0003110839.tif 000008
【図７】
0003110839.tif 000009
【図８】
0003110839.tif 000010
【図９】
0003110839.tif 000011
【図１０】
0003110839.tif 000012
【図１１】
0003110839.tif 000013